(57)【要約】【課題】簡単な構造で製造コストが低く、組み付けも楽に速くでき仕上がりも美しい階段用手摺りの組み付け構造を提供できるようにする。【解決手段】親柱と複数の子柱の上端部分に取り付けられ、階段の傾斜に沿って設けられる階段用手摺りの組み付け構造であって、親柱又は／及び子柱の上端部に手摺り嵌合用凹部を形成し、当該凹部に手摺りの連結部分を嵌合させて固定具で固定して親柱又は／及び子柱の上端部に手摺りを組み付けるようにした。【選択図】図４
2008002115.tif 000002
【特許請求の範囲】
【請求項１】
親柱と複数の子柱の各上端部分にわったって取り付けられ、階段の傾斜に沿って設けられる階段用手摺りの組み付け構造であって、親柱又は／及び子柱の上端部に手摺り嵌合用凹部を形成し、当該凹部に手摺りの連結部分を嵌合させて固定具で固定することにより、親柱又は／及び子柱の上端部に手摺りを組み付けるようにしたこと特徴とする階段用手摺りの組み付け構造。
【請求項２】
柱本体の左右の側面部分に添え板部材を固定し、当該側板部材の上端部を柱本体の上端部より上方に突出させて手摺り嵌合用凹部を形成するようにしたことを特徴とする請求項１に記載の階段用手摺りの組み付け構造。
【請求項３】
親柱及び子柱の手摺り嵌合用凹部に嵌合する手摺りの連結部分を、手摺り嵌合用凹部の少なくとも一部がはまり込む窪みで形成したことを特徴とする請求項１に記載の階段用手摺りの組み付け構造。
【発明の詳細な説明】
【技術分野】
【０００１】
本発明は、特に屋内に設けられる階段用手摺りの組み付け構造に関するものである。
【背景技術】
【０００２】
この種、屋内に設けられる階段用手摺りは、たとえば、特許文献１に示すように上下両端部分に設けられた親柱間に複数の子柱を立設し、手摺りの底面部分に嵌合用溝が刻設された手摺りを設置し、各柱の上端部を手摺に釘等の固定具で固定するとともに、柱間の手摺り下面の嵌合用溝部分にフィレット部材を釘等の固定具で取り付けるようにした構造のものが提案されている。
【０００３】
ところが、こうしたものでは、各柱の上端部を手摺に固定し、更に柱間の手摺り下面の嵌合用溝部分にフィレット部材を釘等の固定具で固定する二重の手間を要するだけでなく、これらの固定作業が手摺りの下面で、柱間の狭い部分で行なわなくてはならず、きれいな仕上がりにするにはかなりの熟練を要するという問題もあった。
【０００４】
加えて、各柱部材と手摺りのほかにフィレット部材を用意しなくてはならず部品点数が多くなり、製造コストも高くなってしまうという問題もある。
【特許文献１】特開２００１−４９８２２号公報
【発明の開示】
【発明が解決しようとする課題】
【０００５】
本発明は上記問題点に鑑み提案されたもので、簡単な構造で製造コストが低く、組み付けも楽に速くでき仕上がりも美しい階段用手摺りの組み付け構造を提供できるようにすることを目的とするものである。
【課題を解決するための手段】
【０００６】
上記目的を達成するために本発明にかかる階段用手摺りの組み付け構造は、親柱と複数の子柱の各上端部分にわったって取り付けられ、階段の傾斜に沿って設けられる階段用手摺りの組み付け構造であって、親柱又は／及び子柱の上端部に手摺り嵌合用凹部を形成し、当該凹部に手摺りの連結部分を嵌合させて固定具で固定することにより、親柱又は／及び子柱の上端部に手摺りを組み付けるようにしたことを最も主要な特徴とするものである。
【０００７】
本発明にかかる階段用手摺りの組み付け構造では、柱本体の左右の側面部分に添え板部材を固定し、当該側板部材の上端部を柱本体の上端部より上方に突出させて手摺り嵌合用凹部を形成するようにしたことや、親柱及び子柱の手摺り嵌合用凹部に嵌合する手摺りの連結部分を、手摺り嵌合用凹部の少なくとも一部がはまり込む窪みで形成したことも特徴とするものである。
【発明の効果】
【０００８】
本発明の階段用手摺りの組み付け構造では、親柱又は／及び子柱の上端部に形成された手摺り嵌合用凹部に、手摺りの連結部分を嵌合させて固定具で固定して親柱又は／及び子柱の上端部に手摺りを組み付けるようにしてあるので、従来のようなフィレット部材を用意しなくても済み、その分、部品点数を少なくして構造の簡素化とコストの低減を図ることができる利点がある。
【０００９】
また、手摺りと親柱又は／及び子柱の上端部との固定は、親柱又は／及び子柱の上端部に形成された手摺り嵌合用凹部に手摺りの連結部分を嵌合させ、手摺り嵌合用凹部の側方から固定具で固定ずるだけの操作で、手摺りを簡単に取り付けることができる。これにより、熟練を要することなく、手摺りの取り付けを確実に、且つ仕上がりもきれいなものにすることができる利点がある。
【００１０】
本発明の手摺りの取り付け構造において、柱本体の左右の側面部分に添え板部材を固定し、当該側板部材の上端部を柱本体の上端部より上方に突出させることにより、手摺り嵌合用凹部を形成するようにしたものでは、例えば木製の柱本体に金属若しくは硬質合成樹脂等からなる添え板部材という風に材質を異ならせたり、色を異ならせたりすることができる。
【００１１】
また、親柱及び子柱の手摺り嵌合用凹部に嵌合する手摺りの連結部分を、手摺り嵌合用凹部の少なくとも一部がはまり込む窪みで形成すると、組み付け操作をより簡単行なうことができる。
【発明を実施するための最良の形態】
【００１２】
以下、本発明にかかる手摺りの取り付け構造の好ましい実施の形態を図面に基づいて説明する。
図１は手摺りを設けた階段の側面図、図２は手摺り部分の斜視図を示し、図中符号１は階段を全体的に示す。
この階段１は、下位の踊り場に立設された木製の親柱２と、ステップ３・３・３・・・の最上位側の壁面４との間にわたって掛け渡された木製の手摺り５と、親柱２と壁面４との間のステップ３・３・３・・・から立設された木製の複数の子柱６・６・６・・・とを備えてなる。
【００１３】
上記親柱２は、その下端部分を下位の踊り場７に固定されて立ち上げるとともに、上端部が手摺り５に連結されており、その連結構造は図３及び図４に示すようになっている。
即ち、親柱２の上端部に手摺り嵌合用凹部８を形成し、当該嵌合用凹部８を手摺り５の側に設けられた連結部分９に嵌合させて固定具１０で固定したものである。
この嵌合用凹部８は、四角柱状の柱本体１１の左右の側面部分に添え板部材１２を固定する固定部を刻設し、この固定部に帯板状の木製の添え板をその上端部分が柱本体の上端より上方に突出する状態で嵌合させて接着剤等で固定して形成したものである（図３、図４参照）。
【００１４】
また、四角柱状の柱本体１１の左右の側面部分に刻設される添え板部材１２の固定部１３の深さＤは、添え板部材１２の厚みｔ１より浅く形成されており、添え板部材１２がこの固定部１３に取り付けられたとき、その一部が柱本体１１の左右の側面から突出して上下方向に走るライン状のアクセントを形成するようになっている（図１及び図２参照）。
柱本体１１の上端より上方に突出する木製の添え板部材１２の上端部分は、半円状に加工され、その中央部分には木螺子等の固定具１０を挿通する固定具挿通孔１４が穿設されており、固定具１０が挿通された後の通固定具挿通孔１４には図４に示すように緩やかな球面状をしたキャップ１５が嵌合されて外観が整えられる。
【００１５】
親柱２の上記嵌合用凹部８が取り付けられる手摺り５の連結部分９は、手摺り５の左右の側面部分に、添え板部材１２の上端部分の形状に合致する形状に凹入させた窪み１６が形成され、当該窪み１６の外側端部の周縁部分１７は図３に示すように僅かに広げられており、親柱２の上記嵌合用凹部８が取り付けられると、添え板部材１２の上端の連結部９の周縁部分に細いライン状の溝が形成される。
【００１６】
一方、子柱６は、上記親柱２の柱本体１１に取り付けられた添え板部材１２の幅Ｗ１と同じ厚みｔ２で、親柱２の左右に取り付けられた添え板部材１２・１２間の長さＬと略同じ幅Ｗ２の四角柱状の柱本体１８がステップ３・３・３・・・から立ち上げられ、この子柱６用の柱本体１８の上端部は、側面視において、半円状形成され、当該半円状に形成された子柱６用の柱本体１８の幅Ｗ２方向中央部が切削にされて手摺り嵌合用凹部１９が形成されている（図４参照）。
【００１７】
なお、子柱６に手摺り嵌合用凹部１９を形成する左右両側部で上方に突出する部分の厚みＷ３は、上記親柱２の左右に取り付けられた添え板部材１２の厚みｔ１と同様であり、上端の半円状部分の中央部には木螺子等の固定具１０を挿通する固定具挿通孔１４が穿設され、固定具１０が挿通された後の通固定具挿通孔１４には緩やかな球面状をしたキャップ１５が嵌合されるようになっている点は上記添え板部材１２の上端部分と同様の構成になっている。
【００１８】
また、子柱６の上端部分が取り付けられる手摺り５の連結部分９は、親柱２に形成される連結部分９と略同様に形成されている。
即ち、子柱６に形成された上記嵌合用凹部１９が取り付けられる手摺り５の連結部分９は、手摺り５の左右の側面部分に、添え板部材１２の上端部分の形状に合致する形状に凹入させた窪み１６で形成されている（図４参照）。
【００１９】
上記のように構成された各部材を用いて階段１に手摺り５を組み付ける場合を次に説明する。
先ず、ステップ３・３・３・・・が形成されると、その最下位（図上踊り場７部分）には親柱２用の柱本体１１の左右両側面に添え板部材１２が取り付けられて上端部分に手摺り嵌合用凹部８が形成された親柱２を立設するとともに、各ステップ３・３・３・・・から上端に手摺り嵌合用凹部１９が形成された子柱６を２本ずつ立ち上げる。
【００２０】
次に、各柱２・６の手摺り嵌合用凹部８・１９に対面する左右の側面部分に連結部分９が形成された手摺り５を上方から嵌合させた後、木螺子等の固定具１０を固定具挿通孔１４から挿通し、手摺り５に螺子止めする（図３参照）。
然る後、固定具１０が挿通された通固定具挿通孔１４にキャップ１５を嵌着すると、階段１への手摺り５の組み付けが完了する。
このとき、手摺り５の嵌合用凹部８・１９とこれが取り付けられる連結部分９との間にシリコン系の接着剤を介在させると、この接着剤が軋み防止としても作用編する。
【００２１】
また、上記実施の形態では手摺り５や各柱２・６を木製にしてあるが、こうしたものに限られず各柱２・６はその全部若しくは一部を硬質合成樹脂や金属製にすることができるのは勿論のことである。
因みに、各柱２・６の全部若しくは一部を金属製にする場合、アルミニウムやステンレススチール等の不銹性金属にすることが望ましい。
また、子柱６・６・６・・・の本数は図示したように各ステップ３・３・３・・・から２本ずつ立ち上げたものに限られず任意の本数に設定することができるのはいうまでもないことである。
【００２２】
更に、上記実施の形態における親柱２の構成を子柱６に実施することもできると、逆に子柱６の構成を親柱２に実施することも可能である。
加えて、上記実施の形態では親柱２に取り付けられる添え板部材１２が親柱２並びに手摺り５の側面から突出するようにしてあるが、これを親柱２並びに手摺り５の側面と面一にすることも可能である。
【図面の簡単な説明】
【００２３】
【図１】は階段に付設された本発明にかかる手摺りの側面図である。
【図２】は階段に付設された本発明にかかる手摺りの斜視図である。
【図３】は階段に付設された本発明にかかる手摺りの取り付け部分の縦断正面図である。
【図４】は階段に付設された本発明にかかる手摺りの取り付け部分の分解斜視図である。
【符号の説明】
【００２４】
１・・・階段
２・・・親柱
３・・・ステップ
４・・・壁面
５・・・手摺り
６・・・子柱
７・・・踊り場
８・１９・・・嵌合用凹部
９・・・連結部分
１０・・・固定具
１１・１８・・・柱本体
１２・・・添え板部材
１３・・・固定部
１４・・・固定具挿通孔
１５・・・キャップ
１６・・・窪み
【図１】
2008002115.tif 000003
【図２】
2008002115.tif 000004
【図３】
2008002115.tif 000005
【図４】
2008002115.tif 000006